(57)【要約】【課題】容器本体と蓋体とをスムーズに剥離することができる包装体を提供する。【解決手段】内容物５０を収容する収容部１１を有する容器本体１０、収容部１１を覆って収容部１１の外周部１２と接着する蓋体、および、容器本体１０と前記蓋体とを剥離して開封するための開始端である開け口２０を備える包装体１であって、収容部１１の外周部１２において、切り込み３０により形成される舌片３１を備えており、舌片３１は、切り込み３０の両端点３０ａ，３０ｂのうち開け口２０側に配置される端点３０ａを通る剥離方向に垂直な直線よりも開け口２０側に存在しないように形成される包装体。【選択図】図１
2007320614.tif 000002
【特許請求の範囲】
【請求項１】
内容物を収容する収容部を有する容器本体、前記収容部を覆って前記収容部の外周部と接着する蓋体、および、前記容器本体と前記蓋体とを剥離して開封するための開始端である開け口を備える包装体であって、
前記収容部の外周部において、切り込みにより形成される舌片を備えており、
前記舌片は、前記切り込みの両端点のうち前記開け口側に配置される端点を通る剥離方向に垂直な直線よりも前記開け口側に存在しないように形成される包装体。
【請求項２】
前記切り込みの両端点を通る直線は、前記剥離方向に垂直である請求項１に記載の包装体。
【請求項３】
前記開け口は、前記容器本体及び前記蓋体が接着している領域と、接着していない領域との境界である直線状の開け口境界線を備えており、
前記剥離方向は、前記開け口境界線に垂直な方向である請求項１又は２に記載の包装体。
【発明の詳細な説明】
【技術分野】
【０００１】
本発明は、包装体に関する。
【背景技術】
【０００２】
従来、スライスハムやサラミ等の食品を収容する包装体として特許文献１に開示されているような包装体が知られている。この包装体は、図７（ａ）の概略構成平面図およびそのＢ−Ｂ断面図（図７（ｂ））に示すように、熱接着により互いに接着される容器本体１０１及び蓋体１０２を備えており、容器本体１０１と蓋体１０２とを剥離することにより、容器本体１０１に収容されている内容物１０３を取り出すことができるように構成されている。包装体１００の角部には、図７（ａ）に示すように、容器本体１０１と蓋体１０２との剥離を容易に行うことができるようにするための開け口１０４が形成されている。この開け口１０４は、容器本体１０１と蓋体１０２とを接着せずに未接着な状態のままにして構成されている。また、包装体１００上部の中央部には、図示しないフック等の吊下具を挿通させることにより包装体１００を吊下げた状態で展示できるようにするための吊下孔１０５が形成されている。
【０００３】
この吊下孔は、図７（ａ）及び（ｂ）に示すように、包装体１００の一部を円形に打抜いて形成したり、あるいは、打抜き屑が発生することを防止するために、図８に示すように、包装体１００を貫通する逆Ｕ字形状の切り込み１１０によって舌片１１１を形成し、当該舌片を包装体１００の表面側或いは裏面側に押し出すことにより構成されている（例えば、特許文献２参照）。
【特許文献１】特開２０００−８５８４２号公報
【特許文献２】特開２００５−２７１９８６号公報
【発明の開示】
【発明が解決しようとする課題】
【０００４】
しかしながら、特許文献２に開示されているような構成の吊下孔を特許文献１に開示されている包装体に適用した場合、容器本体と蓋体との剥離を行って内容物を取り出す際に、吊下孔が形成されている部分において包装体の破断が生じ、蓋体と容器本体との剥離をスムーズに行うことが困難であるという問題があった。
【０００５】
本発明は、このような問題を解決するためになされたものであって、容器本体と蓋体とをスムーズに剥離することができる包装体を提供することを目的とする。
【課題を解決するための手段】
【０００６】
本発明の上記目的は、内容物を収容する収容部を有する容器本体、前記収容部を覆って前記収容部の外周部と接着する蓋体、および、前記容器本体と前記蓋体とを剥離して開封するための開始端である開け口を備える包装体であって、前記収容部の外周部において、切り込みにより形成される舌片を備えており、前記舌片は、前記切り込みの両端点のうち前記開け口側に配置される端点を通る剥離方向に垂直な直線よりも前記開け口側に存在しないように形成される包装体により達成される。
【０００７】
また、この包装体において、前記切り込みの両端点を通る直線は、前記剥離方向に垂直であることが好ましい。
【０００８】
また、前記開け口は、前記容器本体及び前記蓋体が接着している領域と、接着していない領域との境界である直線状の開け口境界線を備えており、前記剥離方向は、前記開け口境界線に垂直な方向であることが好ましい。
【発明の効果】
【０００９】
本発明によれば、容器本体と蓋体とをスムーズに剥離することができる包装体を提供することができる。
【発明を実施するための最良の形態】
【００１０】
以下、本発明の包装体ついて添付図面を参照して説明する。図１は、本発明の一実施形態に係る包装体の平面図であり、図２は、図１のＡ−Ａ断面図である。これらの図に示すように、包装体１は、熱接着により互いに接着される容器本体１０と蓋体１５とを備えている。包装体１の上部の１つの角部には、容器本体１０と蓋体１５とを剥離して包装体１を開封し内容物５０を取り出すための開封開始端となる開け口２０が設けられている。
【００１１】
容器本体１０は、その中央部にスライスハムやサラミ等の内容物５０を収容する収容部１１を有しており、その開口周縁には外側に向かって延びる外周部１２が形成されている。この容器本体１０は、可撓性の樹脂により形成されており、例えば、ポリエチレン系、ポリエステル系、ポリアミド系、ポリプロピレン系、ポリカーボネート系、ポリアセタール系等の樹脂をフィルム化したシート部材、あるいは、ポリビニルアルコール、エチレン−酢酸ビニル共重合体ケン化物等をフィルム化したシート部材等を容器状に成形して形成されている。また、内容物５０の保護のために、これらのシート部材にポリ塩化ビニリデン層ないしアルミニウム、酸化珪素、酸化アルミニウム、酸化インジウム、酸化錫、酸化ジルコニウム等の無機物の蒸着層を形成することによりバリアー性を有する構成としてもよい。
【００１２】
蓋体１５は、内容物５０が収容された容器本体１０の収容部１１を覆って、収容部１１の外周部１２と接着される部材であり、平板状に構成されている。この蓋体１５は、上述した容器本体１０と同様な材料により形成されている。容器本体１０と蓋体１５との接着は、熱接着により行われている。
【００１３】
包装体１の角部に形成される開け口２０は、蓋体１５の角部と容器本体１０の外周部の角部とを熱接着せずに未接着な状態のままにして構成されており、その形状は三角形状である。この開け口２０は、容器本体１０及び蓋体１５が接着している領域と、容器本体１０及び蓋体１５が接着していない領域との境界である直線状の開け口境界線２１を備えている。なお、本実施形態に係る開け口２０は、包装体１の角１ａと、開け口境界線２１の両端点２１ａ，２１ｂとをそれぞれ結ぶ線分の長さが等しくなるように構成されている。このように構成された開け口２０を包装体１の開封開始端として、容器本体１０と蓋体１５とを相反する方向に引っ張ることにより、図３の矢示Ｈで示す方向（以下、剥離方向Ｈという）に容器本体１０と蓋体１５との剥離が進行する。
【００１４】
また、包装体１は、収容部１１の外周部１２において、容器本体１０と蓋体１５とを貫通する略逆Ｃ字状の切り込み３０によって形成される舌片３１を備えている。この舌片３１は、蓋体１５の一部と容器本体１０の外周部１２の一部とが接着された状態であると共に、包装体１に繋がった状態で構成されている。また、図３の要部拡大図に示すように、舌片３１は、切り込み３０の両端点３０ａ，３０ｂのうち開け口２０側に配置される端点３０ａを通る剥離方向Ｈに垂直な直線Ｋよりも開け口２０側に存在しないように形成されている。なお、包装体１をフック等の吊下具に引っ掛けるには、例えば、包装体１の容器本体側或いは蓋体側に舌片３１を押し出すことにより吊下孔を形成し、当該吊下孔に吊下具を挿通することにより行う。
【００１５】
このように構成された包装体１から内部に収容された内容物５０を取り出すには、例えば、開け口２０における蓋体１５を左手で把持し、開け口２０における容器本体１０の外周部１２を右手で把持すると共に、蓋体１５と容器本体１０とを相反する方向に引っ張ることにより行う。これにより、蓋体１５と容器本体１０とは、例えば、開け口境界線２１に対して略垂直な方向に沿って剥離していくことになる。容器本体１０と蓋体１５との剥離途中においては、蓋体１５と容器本体１０とが剥離している領域と、剥離していない領域との境界線Ｌが包装体１に形成される（以下、剥離ラインＬという）。この剥離ラインＬは、直線状の線であって、剥離方向Ｈに対して略垂直な方向に形成される。
【００１６】
蓋体１５と容器本体１０との剥離を進行させて、剥離ラインＬが、切り込み３０の開け口側端点３０ａに達した場合、図４に示すように、当該剥離ラインＬに対して剥離方向Ｈ側に舌片３１の全領域が存在しているため（剥離方向Ｈに垂直な剥離ラインＬに対して開け口２０側に舌片３１が存在しないため）、蓋体１５と容器本体１０との更なる剥離の進行に伴って、当該舌片３１を構成する蓋体１５の一部と容器本体１０の外周部１２の一部との剥離を確実に行うことが可能になる。その結果、舌片３１を構成する蓋体１５の一部と容器本体１０の外周部１２の一部とが接着し一体となった状態で、蓋体１５と容器本体１０との剥離が進行することを回避でき、切り込み３０の端点３０ａ，３０ｂを始点とする包装体１の破断が生じることを確実に防止して、蓋体１５と容器本体１０とのスムーズな剥離を行うことが可能になる。
【００１７】
以上、本発明の一実施形態について説明したが、本発明の具体的な態様は上記実施形態に限定されず、例えば、図５に示すように、舌片３１を形成する切り込み３０の両端点３０ａ，３０ｂを通る直線Ｍが、剥離方向Ｈに垂直となるように舌片３１を構成してもよい。これにより、容器本体１０と蓋体１５との剥離途中において包装体１に形成される剥離ラインが、容器本体１０と蓋体１５との剥離の進行に伴って、舌片３１を形成する切り込み３０の両端点３０ａ，３０ｂを同時に通過できるようになるため、舌片３１を構成する蓋体１５の一部と容器本体１０の外周部１２の一部との剥離をよりスムーズに行うことができ、切り込み３０の端点３０ａ，３０ｂを始点とする包装体１の破断を確実に防止して、容器本体１０と蓋体１５との剥離をスムーズに行うことができる。
【００１８】
また、本実施形態においては、包装体１の収容部１１の外周部１２において、容器本体１０と蓋体１５とを貫通する略逆Ｃ字状の切り込み３０により舌片３１を形成しているが、例えば、図６の（ａ）〜（ｃ）に示すように、略コ字状、略Ｖ字状、略Ｕ字状の切り込み３０によって舌片３１を形成してもよい。
【図面の簡単な説明】
【００１９】
【図１】本発明の一実施形態に係る包装体の概略構成平面図である。
【図２】図１のＡ−Ａ断面を示す断面図である。
【図３】図１に示す包装体の要部拡大平面図である。
【図４】図１に示す包装体を構成する蓋体と容器本体との剥離を説明するための説明図である。
【図５】図１に示すランスパイプの変形例を示す概略構成断面図である。
【図６】（ａ）〜（ｃ）は、図１に示す包装体の他の変形例を示す要部拡大平面図である。
【図７】（ａ）は、従来の包装体を示す概略構成平面図であり、（ｂ）は、そのＢ−Ｂ断面図である。
【図８】従来のその他の包装体を示す概略構成平面図である。
【符号の説明】
【００２０】
１      包装体
１０    容器本体
１５    蓋体
２０    開け口
３０    切り込み
３１    舌片
５０    内容物
【図１】
2007320614.tif 000003
【図２】
2007320614.tif 000004
【図３】
2007320614.tif 000005
【図４】
2007320614.tif 000006
【図５】
2007320614.tif 000007
【図６】
2007320614.tif 000008
【図７】
2007320614.tif 000009
【図８】
2007320614.tif 000010